(57)【要約】【課題】  従来地下作業等のための通路であるマンホールの昇降には殆ど工夫が払われず機材の開発がなされていない。そのため作業現場ではその都度対応に苦心を強いられてきた。地下工事等が多くなった今日マンホールに関わる安全性と利便性の問題は重要なことと言わざるをえない。【解決手段】マンホールの口径金具の開口径の形を利用しその径に嵌合するベースを作りそのベースを固定の中心として固定ブロックを形成し、昇降具等の安全固定を計る。作業者本人によるリモコン操作のセイフティロープワインダーを利用して安全性を高める。【選択図】図１
0003132479.tif 000002
【実用新案登録請求の範囲】
【請求項１】
地下或いは下階等にある作業場又は装置設置場所等に、工事或いは保守点検作業等のため人が昇降出入するため設けられた開口部いわゆるマンホールの昇降出入をするための手段または専用機材に於いて、マンホールの形状に合わせてマンホール金具の内側に嵌合させることが出来る上部固定ベース１と上部固定ベース１によって連結固定される上部固定材ブロック２を備え、当該固定材ブロック２には梯子等の昇降用機材７の上端を固定するためのクランプ３を具えたビーム（梁）を堅牢に固定し、当該固定ブロック２の上部に更に堅牢な鳥居９を設け当該鳥居９のビームの中央にセイフティロープワインダー１０を取り付け、また当該上部固定材ブロック２の脚部下方に補強ビーム１１（４本）を設け当該ビーム１１とグランドラインとの間を巾木等の部材で囲うこと等の条件の、少なくともその複数以上を具備することを特徴とするマンホール通行手段。
【請求項２】
リモートコントロールにより使用者（作業者）が巻上・停止等の操作をすることが可能で且つ逆転滑落防止機能を具えたセイフティロープワインダー２．を備えていることを特徴とするマンホール出入昇降装置。リモートコントロールは有線あるいは無線であることを問わない。
【考案の詳細な説明】
【技術分野】
【０００１】  本考案は地下工事、管工事、その他階上下に亙る設備工事等の作業進行上の安全及び利便性に関する。
【背景技術】
【０００２】  従来地下管工事等の作業通路としてのマンホールの通行手段または機具としては特別の考案手段はなく既製の梯子・脚立等を用いて行なうだけで各現場ごとに適応のための工夫と労力を強いられその上安全上利便上の問題もともない時間的にも損失が多く作業現場ではこれを改善するための考案や機具の出現が待望されていた。
【考案の開示】
【考案が解決しようとする課題】
【０００３】  上記のように現在マンホールを通過して行なう作業現場では多くの問題が存在しているが、考えるに重要な課題は安全性と利便性との両面に集約される。安全性の面からは先ず梯子等の昇降具の安定固定の問題がある。次にマンホール外部から下部作業場に対する落下物の危険を防止する問題、作業者に不慮の事故が発生した場合等の対策ないし保護或いは救済の問題。滑落に関する問題等がある。利便性の面からは各現場に対し出来るだけ多くの場合に対応でき、出来るだけ簡単に設置し得ること、組み立て分解がしやすく持運びしやすいこと、出来るだけ小型で且つ堅牢であること等が要求される。本考案はこれらの課題に対しその出来るかぎり多くを解決することを目指し、つぎの手段を実施する。
【課題を解決するための手段】
【０００４】  先ず上部架設固定部をマンホール上側から、マンホール内縁の形状（径）に合わせてマンホール金具の内側に嵌合させることが出来る上部固定ベース１．を嵌合しその固定ベース１．の外側に上部固定材ブロック２．を連結固定する。当該ブロックには梯子等の昇降具７．の上端を固定するためのクランプ３．を具えたビーム（梁）４．を堅牢に固定し当該クランプ３．に梯子７．の上端を固定する。梯子７．の下端はアダプター金具８．を取り付け当該金具８．を介して長さを調節し作業場所底面に合わせ安定させる。上部固定ブロック２．には更にその上部に堅牢な鳥居９．を設け当該鳥居９．のビームの中央にはセイフティロープワインダー１０．を堅牢に取付ける。ワインダー１０．はリモートコントロールにより作業者自身で操作出来ることが望ましい。もしそれが難しい場合は作業者と外部との連絡の手段を万全を期すことが要求される。また上部固定ブロック２．には脚材の下部近く補強のためのビーム１１．（４本）をもうけビーム１１．とグランドラインとの間を巾木等の部材１２で囲いを設ける。そうすることにより落下物による危険を防ぐこともできる。
【考案の効果】
【０００５】実施例（図３に実寸を示した）として試作したものを下水管路の交叉するマンホールで試用したところ支障なく安全な作業が可能であることを確認した。試験者の感想は試用時および組み立て、分解、取付け、運搬等すべてにおいて従前に比し実用的にすぐれていると言うことである。
【産業上の利用可能性】
【０００６】上述のように実施例の経験からも問題なく実用化が期待できる。
【図面の簡単な説明】
【０００７】
【図１】  本考案の主要部の投視図およびマンホールの断面図との組合せによる説明図
【図２】  主要部品図
【図３】  実施例の寸法を示した説明図
【符号の説明】
【０００８】        １  上部固定ベース
２  上部固定材ブロック
３  梯子固定クランプ
４  梯子クランプ固定用ビーム
５
６
７  梯子
８  梯子不均衡調節金具
９  鳥居
１０  セイフティロープワインダー
１１  脚補強ビーム
１２  巾木
【図１】
0003132479.tif 000003
【図２】
0003132479.tif 000004
【図３】
0003132479.tif 000005
【手続補正書】
【提出日】平成19年1月26日(2007.1.26)
【手続補正１】
【補正対象書類名】実用新案登録請求の範囲
【補正対象項目名】全文
【補正方法】変更
【補正の内容】
【実用新案登録請求の範囲】
【請求項１】
地下或いは下層階等に昇降するために設けられたマンホール用昇降用具であって、
マンホールの形状に合わせてマンホール金具の内側に嵌合させることができる固定ベースと、
前記固定ベースに連結固定される手摺部と、
前記手摺部に装着され、梯子等昇降用機材の上端を固定するためのクランプと、
前記手摺部の上部に固定され、中央にセイフティロープワインダーを装着された門型の支柱と、
前記手摺部の脚部下方に固定された補強ビームまたは前記補強ビームとグランドラインとの間に固定された巾木等部材のうちの１つ又は２つと、
を具備することを特徴とするマンホール昇降用具。
【請求項２】
前記セイフティロープワインダーは、リモートコントロールにより巻上・停止等の操作をすることが可能で且つ逆転滑落防止機能を備えていることを特徴とする請求項１に記載のマンホール昇降用具。
【手続補正２】
【補正対象書類名】明細書
【補正対象項目名】全文
【補正方法】変更
【補正の内容】
【考案の詳細な説明】
【技術分野】
【０００１】
本考案は、マンホール昇降用具に係り、より詳しくは、地下或いは下層階等にある作業場又は装置設置場所等に人が昇降出入するため設けられた開口部いわゆるマンホールの昇降の安全を確保するためのマンホール昇降用具に関する。
【背景技術】
【０００２】
マンホールへの昇降の安全確保に関しては、労働安全衛生規則の第５２６条に、事業者は、高さ又は深さが一・五メートルをこえる箇所で作業を行なうときは、当該作業に従事する労働者が安全に昇降するための設備等を設けなければならないと規定されているが、従来、これに対処できる設備、装置等はなかった。
通常、マンホールへの昇降用として特別の装置、手段はなく、通常使用している梯子・脚立等を用いて昇降する方法、マンホールに取付けられた足掛け金具、常設の鉄梯子を使用する方法、あるいは、安全ブロックの先端をマンホール上に固定し、安全ブロックより引出したワイヤロープの先端フックを安全ベルトに掛けて昇降する方法がとられていた。
このため、マンホールを安全に昇降するための装置、手段等の出現が待望されていた。
【考案の開示】
【考案が解決しようとする課題】
【０００３】
本考案はこれらの課題に対処するためになされたもので、マンホールからの落下を防止し、下部作業場での事故に対応できるとともに、各種地下現場に対応でき、組立て分解が容易で簡単に設置できる小型で堅牢なマンホール昇降用具の提供を目的とする。
【課題を解決するための手段】
【０００４】
本考案は、地下或いは下層階等に昇降するために設けられたマンホール用の昇降安全具であって、マンホールの形状に合わせてマンホール金具の内側に嵌合させることができる固定ベースと、前記固定ベースに連結固定される手摺部と、前記手摺部に装着され、梯子等昇降用機材の上端を固定するためのクランプと、前記手摺部の上部に固定され、中央にセイフティロープワインダーを装着された門型の支柱と、前記手摺部の脚部下方に固定された補強ビームまたは前記補強ビームとグランドラインとの間に固定された巾木等部材のうちの１つ又は２つと、を具備することを特徴とする。
【０００５】
前記セイフティロープワインダーは、リモートコントロールにより巻上・停止等の操作をすることが可能で且つ逆転滑落防止機能を備えていることを特徴とする。
【考案の効果】
【０００６】
本考案のマンホール昇降用具は、簡単に組立てることが可能で、マンホールピットなどに降りる際、梯子を固定して転落防止に役立ち、ステップがない場合や梯子が使用できない場合でもセイフティロープワインダーの活用により安全に昇降でき、ピット内の状況に応じて設置角度を変えて対応できるため、マンホール昇降時の安全確保に寄与できる。
また、セイフティロープワインダーの活用により、通常の昇降の安全確保の他、マンホールピット内事故の際の負傷者の救出や、各種機器の搬入搬出も容易に出来る効果がある。
【考案を実施するための最良の形態】
【０００７】
以下図面により本考案の実施例の構造、組立方法について詳細に説明する。
【実施例】
【０００８】
本考案のマンホール昇降用具は、図１，２に示す通り、固定ベース１と、固定ベース１に連結固定される手摺部２と、手摺部２に装着され、梯子等昇降用機材の上端を固定するためのクランプ３と、手摺部２の上部に固定され、中央にセイフティロープワインダー１０を装着された門型の支柱９と、手摺部２の脚部下方に固定された補強ビーム１１または補強ビーム１１とグランドラインとの間に固定された巾木１２等部材と、から構成される。
セイフティロープワインダー１０は、リモートコントロールにより巻上・停止等の操作をすることが可能で且つ逆転滑落防止機能を備えている。
【０００９】
図２（ｃ）、（ｄ）に示す通り、固定ベース１は、板厚が８ｍｍ×高さ６０ｍｍ×外径５９０ｍｍの鋼管製リング１３の１端の４カ所に、１４０ｍｍ×１４０ｍｍのリブ１４を溶接で取付け、リブ１４の１面に、リング１３の他端と反対方向に、外径が３５ｍｍで高さが５０ｍｍの手摺部２の取付部１５を溶接固定したものである。
手摺部２は、２組準備し、図２の（ｂ）に示す通り、板厚が８ｍｍ×内径３５ｍｍの鋼管を、両側部が７５０ｍｍ、両側部を結合する部分が５３０ｍｍの門型に溶接したもので、両側部を結合する部分は、２００ｍｍ延伸させて２組の延伸部を手摺部２と同サイズの鋼管からなる梯子クランプ用ビーム４で結合するようになっており、両側部を結合する部分の中央には、門型の支柱９を取付ける取付け部１６が溶接固定されている。取付け部１６は取付部１５と同じサイズである。
【００１０】
門型の支柱９は、手摺部２と同様、板厚が８ｍｍ×内径３５ｍｍの鋼管からなり、両側部が１３００ｍｍ、両側部を結合する部分が５３０ｍｍの門型に溶接したもので、両側部を結合する部分の中央にセイフティロープワインダー１０が取付けられている。
【００１１】
以下、本実施例の組立方法について説明する。
先ず、マンホールに固定ベース１を取付ける。固定ベース１は、図２（ｃ）、（ｄ）に示す通り、リング１３とリブ１４からなっているため、リング１３をマンホール内部に挿入し、取付け部１５を上に向けた状態でマンホールに取付ける。
次に２組の手摺部２の各々の両側部の端を固定ベース１の取付け部１５に挿入して固定した後、２組の手摺部２の延伸部を、足場金具等により鋼管製の梯子クランプ用ビーム４と結合する。
【００１２】
その後、手摺部２の取付け部１６に門型の支柱９の端部を挿入して固定し、梯子を地下に下ろしてその上端部を、２組の手摺部２を結合した梯子クランプ用ビーム４にクランプ３で固定する。
門型の支柱９の中央に、セイフティロープワインダー１０を取付けて組立てを完了する。
手摺部２には、下部に補強のためのビーム１１を取付けて手摺２の強度向上を図ることができ、また、ビーム１１とグランドラインの間を巾木１２で囲い、強度向上を図るとともに落下物による危険を防ぐこともできる。
【００１３】
セイフティロープワインダー１０は、作業者が普通の速さで移動するとワイヤロープが自動的に繰り出されたり巻き込まれたりするが、作業者が何かの事故で墜落してワイヤを急激に引っ張れば約４０ｃｍ以内で落下を止めることができる安全ブロックである。安全ブロックは、当業者には周知のことであるため詳細説明は省略する。
【００１４】
図１に示す通り、本考案のマンホール昇降用具を下水管路の交叉するマンホールに試用した結果、昇降作業を安全、且つ、円滑に進められることが確認できたほか、運搬、組立て、取付け、分解、等全てを支障なく行なうことが出来、従前に比し実用的に極めて優れた結果が得られた。
【産業上の利用可能性】
【００１５】
本考案のマンホール昇降用具は、高さ又は深さのあるあらゆる開口箇所に適用可能である。
【図面の簡単な説明】
【００１６】
【図１】本考案のマンホール昇降用具の側面図及び断面図である。
【図２】本考案のマンホール昇降用具を構成する部材の図である。
【符号の説明】
【００１７】
１  固定ベース
２  手摺部
３  クランプ
４  梯子クランプ用ビーム
７  梯子
８  梯子調節用金具
９  支柱
１０  セイフティロープワインダー
１１  ビーム
１２  巾木
１３  リング
１４  リブ
１５、１６  取付け部
【手続補正３】
【補正対象書類名】図面
【補正対象項目名】全図
【補正方法】変更
【補正の内容】
【図１】
0003132479.tif 000006
【図２】
0003132479.tif 000007
【手続補正書】
【提出日】平成19年4月9日(2007.4.9)
【手続補正１】
【補正対象書類名】実用新案登録請求の範囲
【補正対象項目名】請求項１
【補正方法】変更
【補正の内容】
【請求項１】
地下或いは下層階等に昇降するために設けられたマンホール用昇降用具であって、
マンホールの形状に合わせてマンホール金具の内側に嵌合させることができる固定ベースと、
前記固定ベースに連結固定される手摺部と、
前記手摺部に装着され、梯子等昇降用機材の上端を固定するためのクランプと、
前記手摺部の上部に固定され、中央にセイフティロープワインダーを装着された門型の支柱と、
前記手摺部の脚部下方に固定された補強ビームまたは前記補強ビームとグランドラインとの間に固定された巾木と、
を具備し、
前記固定ベースは、マンホールの内側に嵌合できるように下方に垂れ下がるリングと、ボルト取付け孔を有し前記リングの上端部に複数個設けられたリブと、からなることを特徴とするマンホール昇降用具。
【手続補正２】
【補正対象書類名】明細書
【補正対象項目名】０００４
【補正方法】変更
【補正の内容】
【０００４】
本考案は、地下或いは下層階等に昇降するために設けられたマンホール用昇降用具であって、マンホールの形状に合わせてマンホール金具の内側に嵌合させることができる固定ベースと、前記固定ベースに連結固定される手摺部と、前記手摺部に装着され、梯子等昇降用機材の上端を固定するためのクランプと、前記手摺部の上部に固定され、中央にセイフティロープワインダーを装着された門型の支柱と、前記手摺部の脚部下方に固定された補強ビームまたは前記補強ビームとグランドラインとの間に固定された巾木と、を具備し、前記固定ベースは、マンホールの内側に嵌合できるように下方に垂れ下がるリングと、ボルト取付け孔を有し前記リングの上端部に複数個設けられたリブと、からなることを特徴とする。
【手続補正３】
【補正対象書類名】明細書
【補正対象項目名】０００９
【補正方法】変更
【補正の内容】
【０００９】
図２（ｃ）、（ｄ）に示す通り、固定ベース１は、マンホールの内側に嵌合できるように下方に垂れ下がるリング１３と、ボルト取付け孔（図示なし）を有しリング１３の上端部に４個設けられたリブと、からなる。
リング１３は、板厚が８ｍｍ×高さ６０ｍｍ×外径５９０ｍｍの鋼管製で、その上端部４カ所に、１４０ｍｍ×１４０ｍｍのリブ１４を溶接で取付け、リブ１４の上面に、外径が３５ｍｍで高さが５０ｍｍの手摺部２の取付部１５を溶接固定したものである。
手摺部２は、２組準備し、図２の（ｂ）に示す通り、板厚が８ｍｍ×内径３５ｍｍの鋼管を、両側部が７５０ｍｍ、両側部を結合する部分が５３０ｍｍの門型に溶接したもので、両側部を結合する部分は、２００ｍｍ延伸させて２組の延伸部を手摺部２と同サイズの鋼管からなる梯子クランプ用ビーム４で結合するようになっており、両側部を結合する部分の中央には、門型の支柱９を取付ける取付け部１６が溶接固定されている。取付け部１６は取付部１５と同じサイズである。